(57)【要約】【課題】前後複数のルーバ６１と、これらルーバを相互に連結する横方向両側の連結片６２とを備え、これらルーバと連結片とを１枚の金属板の切起しで形成した排気フード６であって、連結片を各ルーバとの繋ぎ部６２ａが前上がりに傾斜するように略鋸歯状に折り曲げて、各ルーバを前傾姿勢にすると共に、排気口の横方向両側部に設けた排気フード用の固定部材７に各連結片６２を各ルーバとの繋ぎ部間に位置する歯谷部６２ｂで着座させるものにおいて、最前位の＃１ルーバが前側に倒れ込むことを防止できるようにする。【解決手段】連結片６２の＃１ルーバ６１との繋ぎ部６２ａの前端に、下方に屈曲して排気フード用の固定部材７に当接する脚片部６４を延設する。【選択図】図２
2005214472.tif 000002
【特許請求の範囲】
【請求項１】
燃焼器の排気口の上方に、排気口から上昇する燃焼排気の流れを前方に向けるために配置される、横方向に長手の複数のルーバと、これらルーバが前傾姿勢で前後方向に間隔を存して配列されるように、これらルーバの横方向両端部でルーバを相互に連結する一対の連結片とで構成される排気フードであって、
１枚の金属板に、連結片となる横方向両側の余白部を残してルーバとなる部分を画定する横方向に長手の前後複数の横切込みを入れると共に、各横切込みの端部に各ルーバが前後幅の中間部で連結片に繋がるように前後方向にのびる縦切込みを入れ、各連結片を各ルーバとの繋ぎ部が前上がりに傾斜するようにルーバの配置ピッチに合わせて略鋸歯状に折り曲げて、各連結片の各ルーバとの繋ぎ部の傾斜により各ルーバを前傾姿勢とし、燃焼器の排気口の横方向両側部に設けた排気フード用の固定部材に各連結片を各ルーバとの繋ぎ部間に位置する歯谷部で着座させるものにおいて、
各連結片の最前位のルーバとの繋ぎ部の前端に、下方に屈曲して排気フード用の固定部材に当接する脚片部を延設することを特徴とする湯沸し器の排気フード。
【請求項２】
前記脚片部の下端に、前記固定部材に面接触する足平部を曲成することを特徴とする請求項１記載の湯沸し器の排気フード。
【請求項３】
前記脚片部の下端に、前記固定部材に対し脚片部を少なくとも前後方向に不動に係止する係止部を形成することを特徴とする請求項１記載の湯沸し器の排気フード。
【発明の詳細な説明】
【技術分野】
【０００１】
本発明は、湯沸し器等の燃焼器の排気口の上方に、排気口から上昇する燃焼排気の流れを前方に向けるために配置される排気フードに関し、更に詳細には、横方向に長手の複数のルーバと、これらルーバが前傾姿勢で前後方向に間隔を存して配列されるように、これらルーバの横方向両端部でルーバを相互に連結する一対の連結片とで構成される排気フードに関する。
【背景技術】
【０００２】
従来、この種の排気フードとして、部品点数を削減してコストダウンを図るため、複数のルーバと一対の連結片とを１枚の金属板から切起しで形成した１枚板構造のものが知られている(例えば、特許文献１参照)。
【０００３】
この排気フードの製作に際しては、図５(ａ)に示すように、１枚の金属板１００に、連結片６２となる横方向両側の余白部を残してルーバ６１となる部分を画定する横方向に長手の前後複数の横切込み１０１を入れると共に、各横切込み１０１の端部に各ルーバ６１が前後幅の中間部で連結片６２に繋がるように前後方向にのびる縦切込み１０２を入れる。そして、図５(ｂ)に示す如く、各連結片６２を各ルーバ６１との繋ぎ部６２ａが前上がりに傾斜するようにルーバ６１の配置ピッチに合わせて略鋸歯状に折り曲げて、各連結片６２の各ルーバ６１との繋ぎ部６２ａの傾斜により各ルーバ６１を前傾姿勢とし、燃焼器の排気口の横方向両側部に設けた排気フード用の固定部材(図示せず)に各連結片６２を各ルーバ６１との繋ぎ部６２ａ間に位置する歯谷部６２ｂで着座させる。尚、最前位のルーバ６１とその後のルーバ６１との間に位置する連結片６２の歯谷部６２ｂには、排気フード６を固定部材に固定する取付け孔６２ｃが形成されている。
【特許文献１】特許第２５５２７７１号公報
【発明の開示】
【発明が解決しようとする課題】
【０００４】
上記従来の排気フードにおいては、連結片の前端部が最前位のルーバとの繋ぎ部で終端しており、この繋ぎ部は固定部材に対し片持ち状態で支持されることになる。そのため、ユーザが排気フードの掃除等を行うときに、最前位のルーバに外力が加わると、連結片の最前位のルーバとの繋ぎ部が容易に変形して、最前位のルーバが前側に倒れ込み、燃焼排気の流れが悪くなることがある。
【０００５】
本発明は、以上の点に鑑み、最前位のルーバの倒れ込みを抑制できるようにした１枚板構造の排気フードを提供することをその課題としている。
【課題を解決するための手段】
【０００６】
上記課題を解決するために、本発明では、燃焼器の排気口の上方に、排気口から上昇する燃焼排気の流れを前方に向けるために配置される、横方向に長手の複数のルーバと、これらルーバが前傾姿勢で前後方向に間隔を存して配列されるように、これらルーバの横方向両端部でルーバを相互に連結する一対の連結片とで構成される排気フードであって、１枚の金属板に、連結片となる横方向両側の余白部を残してルーバとなる部分を画定する横方向に長手の前後複数の横切込みを入れると共に、各横切込みの端部に各ルーバが前後幅の中間部で連結片に繋がるように前後方向にのびる縦切込みを入れ、各連結片を各ルーバとの繋ぎ部が前上がりに傾斜するようにルーバの配置ピッチに合わせて略鋸歯状に折り曲げて、各連結片の各ルーバとの繋ぎ部の傾斜により各ルーバを前傾姿勢とし、燃焼器の排気口の横方向両側部に設けた排気フード用の固定部材に各連結片を各ルーバとの繋ぎ部間に位置する歯谷部で着座させるものにおいて、各連結片の最前位のルーバとの繋ぎ部の前端に、下方に屈曲して排気フード用の固定部材に当接する脚片部を延設している。
【０００７】
上記の構成によれば、連結片の最前位のルーバとの繋ぎ部が脚片部によって支えられ、この繋ぎ部は容易に変形しなくなる。そのため、最前位のルーバの倒れ込みが効果的に防止される。従って、ルーバの倒れ込みによって燃焼排気の流れが悪くなり、燃焼性に悪影響が及ぶことを防止できる。
【０００８】
尚、脚片部の下端が固定部材に線接触している場合には、脚片部の下端が固定部材に対し前後方向にずれ易く、最前位のルーバの倒れ込みに対する抵抗力が弱くなる。これに対し、脚片部の下端に、固定部材に面接触する足平部を曲成しておけば、脚片部の下端が固定部材に対し前後方向にずれにくくなり、最前位のルーバの倒れ込みに対する抵抗力が強くなる。また、脚片部の下端に、固定部材に対し脚片部を少なくとも前後方向に不動に係止する係止部を形成しておけば、最前位のルーバの倒れ込みに対する抵抗力が一層強くなる。
【発明を実施するための最良の形態】
【０００９】
図１を参照して、１は燃焼器たる湯沸し器の本体であり、湯沸し器本体１内に熱交換器２が設けられている。図２も参照して、熱交換器２は、上下に開口する缶体３と、缶体３の上部に装着した吸熱体４とで構成される。缶体３の下端開口部には図外のバーナが挿入され、バーナの燃焼排気によって吸熱体４での熱交換が行われる。吸熱体４は、左右一対の蓋板４１と、両蓋板４１間に間隔を存して配列した複数のフィン４２と、これら蓋板４１とフィン４２とを貫通する蛇行形状の吸熱管４３とで構成されている。また、缶体３の上部の左右の側面には、蛇行形状の吸熱管４３の前後の幅に合わせた凹欠部３ａが形成されている。そして、吸熱体４を、フィン４２が内胴２の上部の前後両面間に挟まれると共に、フィン４２と蓋板４１との間の吸熱管４３の部分が凹欠部３ａに嵌り、更に、凹欠部３ａが蓋板４１で外側から覆われるように、缶体３の上部に装着する。吸熱管４３に通水すると、バーナに点火され、バーナの燃焼排気の熱が吸熱体４で吸収されて、吸熱管４３に流れる水が加熱される。
【００１０】
缶体３の上端開口部で構成される排気口５の上方には、燃焼排気が排気口５からそのまま上昇して、湯沸し器の上方に配置する吊り戸棚等が加熱されることを防止するため、排気口５から上昇する燃焼排気の流れを前方に向ける排気フード６が配置されている。排気フード６は、横方向に長手の複数枚(図示例では５枚)のルーバ６１と、これらルーバ６１が前傾姿勢で前後方向に間隔を存して配列されるように、これらルーバ６１の横方向両端部でルーバ６１を相互に連結する一対の連結片６２とを備える。
【００１１】
この排気フード６は１枚板構造であって、ルーバ６１と連結片６２とが図３に示す１枚の金属板１００から切起しで形成されている。金属板１００には、横方向両側に連結片６２となる余白部分を残して横方向に長手の前後複数本(図示例では４本)の横切込み１０１が形成されており、最前位の横切込み１０１と金属板１００の前縁との間の部分が最前位の＃１のルーバ６１、最後位の横切込み１０１と金属板１００の後縁との間の部分が最後位の＃５のルーバ６１、各横切込み１０１間の部分が残りの＃２、＃３、＃４の各ルーバ６１になる。各横切込み１０１の端部には、各ルーバ６１が前後幅の中間部で連結片６２に繋がるように前後方向にのびる縦切込み１０２が形成されている。そして、各連結片６２を各ルーバ６１との繋ぎ部６２ａが前上がりに傾斜するようにルーバ６１の配置ピッチに合わせて略鋸歯状に折り曲げて、各連結片６２の各ルーバ６１との繋ぎ部６２ａの傾斜により各ルーバ６１を前傾姿勢にしている。尚、＃１のルーバ６１の前縁には補強のための折返し部６１ａが形成され、また、各繋ぎ部６２ａから各ルーバ６１に亘って補強のためのビード６３が形成されている。更に、金属板１００には、各連結片６２の＃１のルーバ６１との繋ぎ部６２ａから前方にのびる舌片状の部分が設けられており、この部分が後記する脚片部６４になる。また、本実施形態では、横切込み１０１と縦切込み１０２とをある程度の幅を持つ長孔状に形成しているが、これら切込み１０１，１０２を幅が実質的に零の線状に形成することも可能である。
【００１２】
前記吸熱体４の各蓋板４１の上縁には、一旦横方向外方に折れ曲がって立上がる立上り部４１ａが延設されており、この立上り部４１ａの上縁の外曲げフランジで排気フード６用の固定部材７が構成されている。そして、排気フード６の各連結片６２を各ルーバ６１との繋ぎ部６２ａ間に位置する歯谷部６２ｂで固定部材７に着座させている。また、＃１のルーバ６１との繋ぎ部６２ａに隣接する歯谷部６２ｂには取付け孔６２ｃが形成されており、この取付け孔６２ｃにおいて排気フード６を固定部材７にねじ止めしている。
【００１３】
尚、各蓋板４１の後部は缶体３よりも後方に張り出しており、この張り出し部の上縁に横方向内方に屈曲する爪部４１ｂを形成している。そして、＃５のルーバ６１の後部を、缶体３の後面上端部に達するように垂下させ、その下縁に斜め後方に屈曲するフック部６１ｂを形成して、このフック部６１ｂを爪部４１ｂに引掛けている。また、立上り部４１ａには窓穴が開設されている。そのため、排気口５から上昇する燃焼排気に窓穴を介して空気が混入し、排気温度が下げられる。
【００１４】
ここで、図５に示す従来の排気フードでは、連結片６２の前端部が最前位のルーバ６１との繋ぎ部６２ａで終端しているが、本実施形態の排気フード６では、最前位の＃１のルーバ６１との繋ぎ部６２ａの前端に、下方に屈曲して固定部材７に当接する脚片部６４が延設されている。脚片部６４の下端には、固定部材７に面接触する、前方に屈曲する足平部６４ａが曲成されている。これによれば、脚片部６４が＃１のルーバ６１との繋ぎ部６２ａの支えとなり、この繋ぎ部６２ａの曲げ剛性が高くなる。そのため、排気フード６の掃除等に際し、＃１のルーバ６１に外力が加わったときに、繋ぎ部６２ａの変形で＃１のルーバ６１が前側に倒れ込むことを効果的に防止することができる。従って、ルーバ６１の倒れ込みにより燃焼排気の流れが悪くなって、燃焼性に悪影響が及ぶことを防止できる。
【００１５】
尚、脚片部６４の下端が固定部材７に線接触している場合には、脚片部６４の下端が固定部材７に対し前後方向にずれ易く、＃１のルーバ６１の倒れ込みに対する抵抗力が弱くなる。これに対し、本実施形態のように脚片部６４の下端に足平部６４ａを曲成しておけば、脚片部６４の下端が固定部材７に対し前後方向にずれにくくなり、＃１のルーバ６１の倒れ込みに対する抵抗力が強くなる。
【００１６】
また、図４に示す第２実施形態の如く、固定部材７に、脚片部６４が当接する部分に位置させてスリット７ａを形成し、脚片部６４の下端に、スリット７ａに挿入される爪部６４ｂを突設しても良い。これによれば、固定部材７に対し脚片部６４が前後方向に不動に係止されることになり、＃１のルーバ６１の倒れ込みに対する抵抗力が一層強くなる。
【００１７】
また、第２実施形態のものにおいて、スリット７ａの下方に突出する爪部６４ｂの部分をかしめ、脚片部６４を固定部材７に固定しても良い。これによれば、排気フード６の熱歪等により脚片部６４が固定部材７から浮き上がることも防止できる。
【００１８】
尚、第２実施形態では、脚片部６４の下端に、固定部材７に対し脚片部６４を少なくとも前後方向に不動に係止する係止部として爪部６４ｂを形成したが、図１、図２に示した第１実施形態の如き足平部６４ａに取付け孔を形成して、足平部６４ａを固定部材７にねじ止めすることも可能である。この場合、係止部は足平部６４ａで構成されることになる。
【００１９】
以上、湯沸し器の排気フード６に本発明を適用した実施形態について説明したが、湯沸し器以外の燃焼器の排気フードにも同様に本発明を適用できる。
【図面の簡単な説明】
【００２０】
【図１】本発明の第１実施形態の排気フードを具備する湯沸し器の要部の縦断面図。
【図２】図１の湯沸し器の熱交換器の排気フードを取り付けた状態の斜視図。
【図３】第１実施形態の排気フードを形成する金属板の平面図。
【図４】第２実施形態の排気フードの脚片部の斜視図。
【図５】(ａ)従来の排気フードを形成する金属板の平面図、(ｂ)従来の排気フードの斜視図。
【符号の説明】
【００２１】
５…排気口、６…排気フード、６１…ルーバ、６２…連結片、６２ａ…繋ぎ部、６２ｂ…歯谷部、６４…脚片部、６４ａ…足平部、６４ｂ…爪部(係止部)、７…固定部材、１００…金属板、１０１…横切込み、１０２…縦切込み。
【図１】
2005214472.tif 000003
【図２】
2005214472.tif 000004
【図３】
2005214472.tif 000005
【図４】
2005214472.tif 000006
【図５】
2005214472.tif 000007